(57)【特許請求の範囲】
【請求項１】
マンホール内の下部に設置された水中ポンプにてマンホール内に流入する下水を圧送する下水用ポンプシステムにおいて、マンホール内に流入する下水を旋回させる樹脂製の予旋回槽の隔壁部および越流堰部に予め充填材を充填した後、予旋回槽をマンホールの底版に固定し、その後、予旋回槽とマンホールの底版との間にコンクリートを流し込むことを特徴とする下水用ポンプシステムにおける予旋回槽の設置方法。
【発明の詳細な説明】
【０００１】
【発明の属する技術分野】
本発明は、下水管路の途中に設けられたマンホール内に流入する下水を、水中ポンプによって、下流側に圧送する下水用ポンプシステムにおいて、マンホール内に流入する下水を旋回流とするために、マンホールの底部に設置されて使用される予旋回槽に関する。
【０００２】
【従来の技術】
下水管路では、通常、下水管路の途中に数カ所のマンホールが設けられており、各マンホール内に流入する下水を下流側に圧送するための下水用ポンプシステムが設置されるようになっている。下水用ポンプシステムでは、マンホール内に流入する下水が、マンホール内に設置された水中ポンプによって、下流側マンホール、下水処理場等に圧送されるようになっている。
【０００３】
このような下水用ポンプシステムでは、マンホール内に流入した下水を水中ポンプによって圧送する際に、下水に旋回流を生じさせる予旋回槽が、マンホールの底部に設置されることがある。予旋回槽は、水中ポンプにて圧送される下水に旋回流を生じさせることによって、汚泥等をマンホール内に滞留させないようになっている。最近では、軽量であって取り扱いが容易な樹脂製の予旋回槽が採用されるようになっており、マンホールが形成された後に、樹脂製の予旋回槽が、マンホールの底部に据え付けられる。
【０００４】
図６および図７は、それぞれ、マンホールの底部に据え付けられた予旋回槽の直交する２方向の断面図である。予旋回槽５０には、例えば一対の凹部５１が設けられており、マンホール１０内に設置される一対の水中ポンプの各吸い込み口が、各凹部５１内に挿入される。そして、マンホール１０内に流入した下水が所定レベルに達すると、水中ポンプが運転されて、凹部５１内に流入した下水が、運転される水中ポンプによって吸い上げられる。
【０００５】
このとき、水中ポンプにて凹部５１内の下水が吸い上げられると、その凹部５１の外部との水位差によって旋回流が生じる。この旋回流が、マンホール１０の底部に滞留する汚泥等の異物を、下水とともに凹部５１内に流入させて、下水とともに水中ポンプによって吸い上げられる。その結果、下水内に混入した異物が、マンホールの底部に堆積するおそれがなく、マンホール１０内における悪臭の発生が抑制される。
【０００６】
【発明が解決しようとする課題】
樹脂製の予旋回槽５０は、薄くて軽量に構成されており、また、マンホール１０内に容易に搬入し得るように、複数に分割されるようになっているものもある。しかも、予旋回槽５０には、一対の凹部５１が設けられるとともに、各凹部５１内に流入する下水が旋回流になるように、各凹部５１の間に上方に突出するように設けられた中空の隔壁部５４とは直交状態で上方に突出するように設けられた中空の越流堰部５５等が形成されており、上下方向に凹凸が設けられた複雑な形状になっている。特に、隔壁部５４および越流堰部５５は、上方に突出した中空状になっており、マンホールの底部に予旋回槽を据え付けてコンクリート１４を流し込むと、コンクリート１４と予旋回槽５０における隔壁部５４および越流堰部５５の内部空間との間に空隙が形成される。
【０００７】
このように、予旋回槽５０とコンクリート１４との間に空隙が形成されていると、その空隙内に下水が流入して滞留するおそれがある。空隙内に滞留する下水からは、悪臭が発生するおそれがある。また、マンホール１０内を流下する下水のしずくが、中空になった隔壁部５４および越流堰部５５上に落下すると、大きな衝撃音が発生するという問題もある。さらには、中空の隔壁部５４および越流堰部５５上に作業員が乗ると破損するおそれもある。
【０００８】
このために、マンホール１０の底部に予旋回槽を据え付けた後に、中空になった隔壁部５４および越流堰部５５の内部にモルタル等を充填することも考えられるが、この場合には、狭小なマンホール１０の底部にて、中空の隔壁部５４および越流堰部５５内にモルタル等の充填作業をしなければならず、その作業は容易でなく、面倒であるという問題がある。
【０００９】
本発明は、このような問題を解決するものであり、上方に向かって突出する隔壁部および越流堰部の内部に空隙を形成することなく樹脂製の予旋回槽をマンホールの底部に設置することができる下水用ポンプシステムにおける予旋回槽の設置方法を提供することにある。
【００１０】
【課題を解決するための手段】
本発明は、マンホール内の下部に設置された水中ポンプにてマンホール内に流入する下水を圧送する下水用ポンプシステムにおいて、マンホール内に流入する下水を旋回させる樹脂製の予旋回槽の隔壁部および越流堰部に予め充填材を充填した後、予旋回槽をマンホールの底版に固定し、その後、予旋回槽とマンホールの底版との間にコンクリートを流し込むことを特徴とするものである。
【００１１】
【発明の実施の形態】
以下、本発明の実施の形態を図面に基づいて説明する。
【００１２】
図１は、本発明の予旋回槽が設けられた下水用ポンプシステムの一例を示す縦断面図、図２は、その直交する方向の縦断面図、図３は、その平面図である。この下水用ポンプシステムは、図１および図２に示すように、マンホール１０の底部に据え付けられた予旋回槽２０と、予旋回槽２０上に設置された一対の水中ポンプ３０とを有している。マンホール１０の上端面には、マンホール１０の内径よりも小さな内径を有する開口部１２が地表に露出するように設けられている。また、マンホール１０の底部には、コンクリート製の底版１１が設けられており、この底版１１上に本発明の予旋回槽２０が据え付けられて、底版１１と予旋回槽２０との間にコンクリート１４が流し込まれている。
【００１３】
予旋回槽２０上に設置される各水中ポンプ３０は、マンホール１０内に配置された各一対のガイドパイプ４１に沿ってそれぞれ昇降されるようになっており、各ガイドパイプ４１に沿って下降される各水中ポンプ３０は、予旋回槽２０上に設置されて、マンホール１０内に設けられた一対の連結管４５に、各吐出口３１がそれぞれ接続されるようになっている。また、マンホール１０の内部には、所定の高さ位置に３つのレベルスイッチ４３がそれぞれ設けられており、各レベルスイッチ４３によって、各水中ポンプ３０が選択的に駆動および停止されるようになっている。マンホール１０の内部には、流入管４４から下水が流入するようになっている。
【００１４】
図４および図５は、それぞれ、予旋回槽２０の直交する２方向の縦断面である。この予旋回槽２０は、マンホール１０内に嵌合される円板状をしており、その中央部には、円筒状に窪んだ一対の凹部２１が設けられている。各凹部２１の内部には、図２に示すように、マンホール１０の下部にそれぞれ設置される各水中ポンプ３０の吸い込み口３２がそれぞれ挿入されるようになっている。各凹部２１の底面中央部には、ボルト孔がそれぞれ設けられており、各ボルト孔を挿通するアンカーボルト１６によって各凹部２１がマンホール１０の底版１１に固定される。
【００１５】
予旋回槽２０に設けられる各凹部２１には、流入溝２２（図４参照）がそれぞれ連通している。各流入溝２２は、各凹部２１の接線方向に沿って、それぞれ同方向に延出している。
【００１６】
各凹部２１の間には、上方に突出した中空の隔壁部２４が、直線状に設けられている。また、この隔壁部２４に連続する越流堰部２５が、隔壁部２４とは直交状態で設けられている。越流堰部２５も、隔壁部２４と同様に、中空状態で上方に突出している。
【００１７】
上方に突出した越流堰部２５および隔壁部２４は、それぞれ、中空になっており、その内部には、充填材２６が、それぞれ充填されている。各充填材２６は、ゴム、樹脂等によって構成されており、予旋回槽２０を成形した後に、マンホール１０の底部に据え付ける前に、越流堰部２５および隔壁部２４の内部に、予め充填されて、硬化されている。
【００１８】
予旋回槽２０は、マンホール１０が完成した後に、マンホール１０の下部に据え付けられる。
【００１９】
この場合、予旋回槽２０を強固に固定するために、マンホール１０の下部に、予旋回槽２０をアンカーボルト１６によって底版１１に固定した後にコンクリート１４が流し込まれる。これにより、予旋回槽２０の各凹部２１が、コンクリート１４内に嵌入した状態で据え付けられる。
【００２０】
この場合、予旋回槽２０の上方に突出した中空の越流堰部２５および隔壁部２４内に充填材２６が、それぞれ、予め充填された状態になっているために、コンクリート１４が流し込まれると、各充填材２６がコンクリート１４上に圧接された状態になる。
【００２１】
このようにして、予旋回槽２０がコンクリート１４上に据え付けられた状態になると、予旋回槽２０上に一対の連結管４５が設置されて、各連結管４５に排出管４２がそれぞれ配管される。
【００２２】
その後、対をなすガイドパイプ４１に沿って、各水中ポンプ３０を下降させることにより、それぞれの水中ポンプ３０の吸い込み口３２が予旋回槽２０の各凹部２１内に挿入されるとともに、各連結管４５が水中ポンプ３０に連結されて、各水中ポンプ３０が所定の状態に配置される。
【００２３】
このような状態で、マンホール１０内に下水が流入して、マンホール１０内の所定のレベルまで下水が貯留されたことがレベルスイッチ４３によって検出されると、いずれか一方の水中ポンプ３０が駆動される。水中ポンプ３０が駆動されると、その水中ポンプ３０の吸い込み口３２が挿入された凹部２１内の下水が、水中ポンプ３０によって吸い上げられる。
【００２４】
水中ポンプ３０によって凹部２１内の下水が吸い上げられると、越流堰部２５によって各凹部２１の内部と外部とに水位差が生じ、流入溝２２の長手方向に沿った流れが発生する。この流れによって、凹部２１の周囲の下水も、旋回流となって、凹部２１内に流下する。このとき、各凹部２１の周縁部に滞留した汚泥等の異物も、旋回流となった下水とともに凹部２１に流下し、各凹部２１の周囲上の異物が洗い流される。凹部２１内に流下した下水は、水中ポンプ３０によって吸い上げられ、水中ポンプ３０の吐出口３１から排出管４２によって排出される。排出管４２から排出される下水は、下流側のマンホール、あるいは下水処理場へと圧送される。
【００２５】
コンクリート１４上面に対して上方に突出した予旋回槽２０の越流堰部２５内、各隔壁部２４内には、予め充填材２６がそれぞれ充填された状態になっているために、予旋回槽２０とコンクリート１４との間に空隙が形成されるおそれがない。従って、マンホール１０内に貯留される下水が、予旋回槽２０における上方に突出した部分内に浸入して滞留するおそれがない。また、マンホール１０内に流入する下水のしずくが、予旋回槽２０上における上方に突出した部分に落下しても大きな衝撃音が発生するおそれもない。さらに、水中ポンプ３０等の保守、点検等に際して、作業員が予旋回槽２０における上方に突出した部分上に乗っても、破損するおそれがない。
【００２６】
マンホール１０内に設置される一対の水中ポンプ３０は、通常、交互に運転されるようになっている。
【００２７】
【発明の効果】
本発明によれば、上方に突出した隔壁部および越流堰部の内部に空隙を形成することなく樹脂製の予旋回槽をマンホールの底部に設置することができる。従って、予旋回槽の上方に突出した隔壁部および越流堰部の内部に下水が浸入して滞留するおそれがなく、悪臭の発生が抑制され、しかも、下水のしずくが落下しても大きな衝撃音が発生するおそれもなく、さらには、作業員が予旋回槽上に乗っても破損するおそれもない。
【図面の簡単な説明】
【図１】本発明の予旋回槽が設けられた下水用ポンプシステムの縦断面図である。
【図２】その方向とは直交する方向の縦断面図である。
【図３】その平面図である。
【図４】マンホール内に設けられた予旋回槽の断面図である。
【図５】その方向とは直交する方向の断面図である。
【図６】従来の予旋回槽の断面図である。
【図７】その予旋回槽の直交方向の断面図である。
【符号の説明】
１０  マンホール
１１  底版
１２  開口部
１４  コンクリート
２０  予旋回槽
２１  凹部
２２  流入溝
２４  隔壁部
２５  越流堰部
２６  充填材
３０  水中ポンプ
３１  吐出口
３２  吸い込み口
４２  排出管
４３  レベルスイッチ
【図１】
0003655051.tif 000002
【図２】
0003655051.tif 000003
【図３】
0003655051.tif 000004
【図４】
0003655051.tif 000005
【図５】
0003655051.tif 000006
【図６】
0003655051.tif 000007
【図７】
0003655051.tif 000008